(57)【特許請求の範囲】
【請求項１】
太陽エネルギー発電且つ蓄熱容器本体と、その底部に設置される支持フレームとがある太陽エネルギー発電且つ蓄熱容器と、
該太陽エネルギー蓄熱容器の周りに位置するように設置された複数のリング状ディスク式太陽エネルギー集光器と、
前記太陽エネルギー発電且つ蓄熱容器に接続される蒸気ランキンサイクル発電装置と、
前記太陽エネルギー発電且つ蓄熱容器に接続される有機ランキンサイクル発電装置と、
前記蒸気ランキンサイクル発電装置と有機ランキンサイクル発電装置に接続される蓄熱水槽とが含まれる多機能太陽エネルギーコージェネレーションシステムにおいて、
上記太陽エネルギー発電且つ蓄熱容器本体の表面が上下の二層区間に分けられ、表面の上層区間に太陽エネルギー電池が実装され、表面の下層区間に選択性吸熱フィルムが塗布され、上記選択性吸熱フィルムの内層が高エンタルピー蓄熱室になり、高エンタルピー蓄熱室の中に高エンタルピー蓄熱メディアが収納されることを特徴とする多機能太陽エネルギーコージェネレーションシステム。
【請求項２】
上記太陽エネルギー発電且つ蓄熱容器本体の内部において、有機流体蓄熱室と蒸気蓄熱室及び高エンタルピー蓄熱室が含有され、上記蒸気蓄熱室が高エンタルピー蓄熱室と有機流体蓄熱室の間に介在して、熱伝達面積が増大され、また、対向する面が凹凸状に設計されることを特徴とする請求項１に記載の多機能太陽エネルギーコージェネレーションシステム。
【請求項３】
上記高エンタルピー蓄熱室内に、高エンタルピー蓄熱メディア（例えば、硝酸塩類や亜硝酸塩類、リン酸塩類、硫酸塩類、パラフィンワックス或いは耐高温油である）が、収納されることを特徴とする請求項２に記載の多機能太陽エネルギーコージェネレーションシステム。
【請求項４】
上記有機流体蓄熱室内に、有機流体（例えば、冷媒やベンゼン類、アルカン類、二酸化炭素またはアンモニア）が収納されることを特徴とする請求項２に記載の多機能太陽エネルギーコージェネレーションシステム。
【請求項５】
上記有機流体蓄熱室と蒸気蓄熱室との間に熱電チップが設けられ、上記熱電チップの熱い端が蒸気蓄熱室に接続され、冷たい端が有機流体蓄熱室の中に設置され、冷熱端温差によるゼーベック効果を利用して発電し、また、熱い端が高圧飽和水蒸気作用により最適稼動温度に維持されることを特徴とする請求項２に記載の多機能太陽エネルギーコージェネレーションシステム。
【請求項６】
上記有機流体蓄熱室に有機流体蓄熱室入口と有機流体蓄熱室出口があり、それぞれ、有機ランキンサイクル発電装置が接続されることを特徴とする請求項２に記載の多機能太陽エネルギーコージェネレーションシステム。
【請求項７】
上記蒸気蓄熱室に蒸気蓄熱室入口と蒸気蓄熱室出口があり、それぞれ、蒸気ランキンサイクル発電装置が接続されることを特徴とする請求項２に記載の多機能太陽エネルギーコージェネレーションシステム。
【請求項８】
太陽エネルギー発電且つ蓄熱容器本体と、その底部に設置される支持フレームとがある太陽エネルギー発電且つ蓄熱容器と、
該太陽エネルギー蓄熱容器の周りに位置するように設置された複数のリング状ディスク式太陽エネルギー集光器と、
前記太陽エネルギー発電且つ蓄熱容器に接続される蒸気ランキンサイクル発電装置と、
前記太陽エネルギー発電且つ蓄熱容器に接続される有機ランキンサイクル発電装置と、
前記蒸気ランキンサイクル発電装置と有機ランキンサイクル発電装置に接続される蓄熱水槽とが含まれる多機能太陽エネルギーコージェネレーションシステムにおいて、
上記蒸気ランキンサイクル発電装置は、互いに接続された蒸気膨張タービンや発電機、蒸気熱交換管路、凝縮水循環ポンプ、蒸気調圧弁、第一蒸気制御弁、第二蒸気制御弁、第三蒸気制御弁、第一凝縮水制御弁及び第二凝縮水制御弁が備えられることを特徴とする多機能太陽エネルギーコージェネレーションシステム。
【請求項９】
太陽エネルギー発電且つ蓄熱容器本体と、その底部に設置される支持フレームとがある太陽エネルギー発電且つ蓄熱容器と、
該太陽エネルギー蓄熱容器の周りに位置するように設置された複数のリング状ディスク式太陽エネルギー集光器と、
前記太陽エネルギー発電且つ蓄熱容器に接続される蒸気ランキンサイクル発電装置と、
前記太陽エネルギー発電且つ蓄熱容器に接続される有機ランキンサイクル発電装置と、
前記蒸気ランキンサイクル発電装置と有機ランキンサイクル発電装置に接続される蓄熱水槽とが含まれる多機能太陽エネルギーコージェネレーションシステムにおいて、
上記有機ランキンサイクル発電装置は、互いに接続された有機気体膨張タービンや発電機、熱交換管路、有機液体循環ポンプ、有機蒸気調圧弁、第一有機気体制御弁、第二有機気体制御弁、第三有機気体制御弁、第一有機液体制御弁及び第二有機液体制御弁が備えられることを特徴とする多機能太陽エネルギーコージェネレーションシステム。
【請求項１０】
太陽エネルギー発電且つ蓄熱容器本体と、その底部に設置される支持フレームとがある太陽エネルギー発電且つ蓄熱容器と、
該太陽エネルギー蓄熱容器の周りに位置するように設置された複数のリング状ディスク式太陽エネルギー集光器と、
前記太陽エネルギー発電且つ蓄熱容器に接続される蒸気ランキンサイクル発電装置と、
前記太陽エネルギー発電且つ蓄熱容器に接続される有機ランキンサイクル発電装置と、
前記蒸気ランキンサイクル発電装置と有機ランキンサイクル発電装置に接続される蓄熱水槽とが含まれる多機能太陽エネルギーコージェネレーションシステムにおいて、
上記蓄熱水槽は、蓄熱水槽本体と蓄熱水槽本体の底部に設置された蓄熱水槽支持フレームが備えられ、蓄熱水槽本体の位置が太陽エネルギー発電且つ蓄熱容器本体の頂端よりも高くなり、蒸気と有機ランキンサイクル発電装置が停止される時、有機流体や水によって熱エネルギーが吸収されて、熱い水が形成され、自然に循環することを特徴とする多機能太陽エネルギーコージェネレーションシステム。
【発明の詳細な説明】
【技術分野】
【０００１】
本発明は、多機能太陽エネルギーコージェネレーションシステムに関し、特に、高圧飽和水蒸気と飽和有機蒸気が生成されて、それぞれ、蒸気ランキンサイクル発電装置の稼動や有機ランキンサイクル発電装置の稼動に供給され、また、飽和有機蒸気と高圧飽和水蒸気が、太陽エネルギー発電且つ蓄熱容器を最適稼動温度に維持して、余分の電力が生成され、また、蓄熱水槽が凝縮潜熱を吸収して熱水を形成する他に、蒸気と有機ランキンサイクル発電装置が停止された時、有機流体や水で熱エネルギーを吸収して、自然循環により熱水が形成されて、太陽エネルギーの使用効率が向上され、高効率的に発電や供熱エネルギー力が実現されるものに関する。
【背景技術】
【０００２】
全地球において、石油や石炭及び天然ガス等の化石燃料が大量に消費され、石油の値段が高くなりつつ、経済発展に衝撃を与え、また、例えば、二酸化炭素等の温室気体が排出されて、温室効果が向上され、それにより、気候の変化が発生し、そのため、エネルギー開発や地球環境保護の課題も至急の問題になる。太陽エネルギーは、汚染無しや無公害無しの特性があるだけでなく、枯れることのない清浄なエネルギーであり、太陽が地球に一日に照射するエネルギーは、全人類の一年の使用量になる。地球環境の永久発展に目指して、太陽エネルギーと他の再生自然エネルギーの開発と応用は、全球として重要な課題である。
【０００３】
しかしながら、太陽エネルギーの発電において、最大の制限が、曇りの日に生成した電力が極めて少なく、また、夜間に全く発電できないため、晴れの日に沢山の電力を生成して陽光不足の時に供する事が良いが、電池のエネルギー貯蓄システムが高くて、且つ、効率が悪い。
【０００４】
台湾が亜熱帯であり、地理位置が東経１２０〜１２１度、北緯２２〜２５度の間にあり、日照時間が長くて日光偏斜角度が小さいため、非常に太陽エネルギーの発展に適合し、また、台湾は、海島型国家で土地が小さいが人が多く、工業生産と経済活動が密集且つ活発であり、エネルギー消費量が膨大であるが、９８％以上のエネルギーが輸入しなければならなく、太陽エネルギーを有効に利用できれば、台湾のエネルギー供給安全度が向上されるだけでなく、ピーク用電負荷にも有利である。
【０００５】
以下、太陽エネルギー光電変換や熱エネルギー発電且つ蓄熱等の特許について、述べる。
その一は、中華民国実用新案第Ｍ４２６１４０号の「光熱ダブル効果発電装置」であり、ボールソケット状集光部と光線拡散素子を利用して、光電モジュールと熱電ユニットとが、同時に発電でき、最適な効率が実現されるものである。
その二は、中華民国実用新案第Ｍ４０３００５号の「蓄熱発電設備」であり、集光装置で輻射熱を集中して、集熱容器内の高沸点吸熱メディアを加熱させ、集熱容器に水を通すための熱交換管路があり、蒸気を生成し、蒸気発電装置に供給して発電させるものである。
その三は、中華民国実用新案第Ｍ３７３４７３号の「太陽エネルギー蓄熱構造」であり、集熱管と蓄熱被覆体内にある高熱エンタルピー物質を利用して光熱エネルギーを吸収し、蓄熱素子に貯蓄された後、熱水素子や吸収式や吸着式或いは噴射式等の冷凍エアコン装置へ出力するものである。
その四は、中華民国実用新案第Ｍ３９７４３７号の「光電と熱電効應の複合型発電システム」であり、太陽エネルギー板や集熱素子、発電機及び冷却チップの相互作用を統合して、熱エネルギーのロースを低減させて、発電効率が向上されるものである。
その五は、中華民国実用新案第Ｍ３５５５００号の太陽エネルギー蓄熱式シュリーレンエンジン発電装置」であり、太陽エネルギー集熱板と集光レンズを利用して、加熱素子と蓄熱素子との温度を向上させて、シュリーレンエンジンを駆動して発電させるものである。
その六は、米国特許ＵＳ５，４１７，０５２の「Ｈｙｂｒｉｄ  Ｓｏｌａｒ  Ｃｅｎｔｒａｌ  Ｒｅｃｅｉｖｅｒ  ｆｏｒ  Ｃｏｍｂｉｎｅｄ  Ｃｙｃｌｅ  Ｐｏｗｅｒ  Ｐｌａｎｔ」であり、日光反射器（Ｈｅｌｉｏｓｔａｔ）を利用して、太陽輻射を中央受信器（Ｃｅｎｔｒａｌ  ｒｅｃｅｉｖｅｒ）の表面に集中させ、内部の融解塩を加熱し、受熱された融解塩でガスタービンの圧縮空気を予熱し、ガスタービンが発電機を駆動するだけでなく、高温排気が廃熱回収装置により蒸気を生成し、蒸気タービンを駆動して発電させるものである。
その七は、米国特許ＵＳ７，８３６，６９５  Ｂ２の「Ｓｏｌａｒ  Ｅｎｅｒｇｙ  Ｓｙｓｔｅｍ」であり、太陽エネルギー集熱部材（Ｓｏｌａｒ  Ｃｏｌｌｅｃｔｉｏｎ  Ａｓｓｅｍｂｌｙ）で空気を加熱し、受熱された空気により、蓄熱部材（Ｔｈｅｒｍａｌ  Ｓｔｏｒａｇｅ  Ａｓｓｅｍｂｌｙ）が加熱され、蒸気形成機によって生成された蒸気で蒸気タービン機を駆動して発電させるものである。
【０００６】
しかしながら、上記特許等は、次の共通する欠点がある。
１、受熱された蓄熱メディアが加熱されて、水が蒸気を生成するか空気が加熱されることは、蓄熱メディアが循環に流動して、熱交換装置を通すことや、水や空気が循環に流動して熱交換管路を通すことが必要である。
２、太陽エネルギーを利用する方式が多様化になっていなく、多めにエネルギーがロースされて、捕獲されずに、効率を向上することができない。
３、太陽エネルギー電池と熱電チップの稼動温度が有効に制御できず、最適効率で稼動できず、或いは、ユニットが温度高すぎるため、破壊されてしまう。
４、循環ポンプで熱水回路を駆動することが必要であるため、エネルギーロースが増大され、発電効率が低下される。
【０００７】
本発明者は、上記欠点を解消するため、慎重に研究し、また、学理を活用して、有効に上記欠点を解消でき、設計が合理である本発明の「多機能太陽エネルギーコージェネレーションシステム」を提案する。
【先行技術文献】
【特許文献】
【０００８】
【特許文献１】中華民国実用新案第Ｍ４２６１４０号
【特許文献２】中華民国実用新案第Ｍ４０３００５号
【特許文献３】中華民国実用新案第Ｍ３７３４７３号
【特許文献４】中華民国実用新案第Ｍ３９７４３７号
【特許文献５】中華民国実用新案第Ｍ３５５５００号
【特許文献６】米国特許ＵＳ５，４１７，０５２
【特許文献７】米国特許ＵＳ７，８３６，６９５  Ｂ２
【発明の概要】
【発明が解決しようとする課題】
【０００９】
本発明の主な目的は、高圧飽和水蒸気と飽和有機蒸気を生成して、それぞれ、蒸気ランキンサイクル発電装置を稼動することや有機ランキンサイクル発電装置を稼動することができ、また、飽和有機蒸気や高圧飽和水蒸気により、太陽エネルギー発電且つ蓄熱容器を最適稼動温度に維持して、余分の電力を生成でき、そして、蓄熱水槽が凝縮潜熱を吸収して熱水を形成するだけでなく、蒸気や有機ランキンサイクル発電装置が停止される時、有機流体や水により熱エネルギーを吸収して、自然循環により熱水が形成され、これにより、太陽エネルギーの使用効率が向上され、また、高効率に発電や供熱能が向上される。
【課題を解決するための手段】
【００１０】
上記の目的を達成するために、本発明に係る多機能太陽エネルギーコージェネレーションシステムは、検知モジュールに複数のリング状ディスク式太陽エネルギー集光器とリング状ディスク式太陽エネルギー集光器が、太陽エネルギー蓄熱容器の周りに位置するように、リング状ディスク式太陽エネルギー集光器の間に設置され、太陽エネルギー発電且つ蓄熱容器本体と、太陽エネルギー発電且つ蓄熱容器本体の底部に設置される支持フレームとがある太陽エネルギー発電且つ蓄熱容器と、太陽エネルギー発電且つ蓄熱容器に接続される蒸気ランキンサイクル発電装置と、太陽エネルギー発電且つ蓄熱容器に接続される有機ランキンサイクル発電装置と、蒸気ランキンサイクル発電装置と有機ランキンサイクル発電装置に接続される蓄熱水槽と、が含有される。
【００１１】
本発明の実施例によれば、上記太陽エネルギー発電且つ蓄熱容器本体が上下の二層区間に分けられ、上層区間に太陽エネルギー電池が実装され、下層区間の表面に選択性吸熱フィルムが塗布され、上記選択性吸熱フィルムの内層が高エンタルピー蓄熱室になり、高エンタルピー蓄熱室の中に高エンタルピー蓄熱メディアが収納される。
【００１２】
本発明の実施例によれば、上記太陽エネルギー発電且つ蓄熱容器本体の内部において、有機流体蓄熱室と蒸気蓄熱室及び高エンタルピー蓄熱室が含有され、上記蒸気蓄熱室が高エンタルピー蓄熱室と有機流体蓄熱室の間に介在して、熱伝達面積が増大され、また、対向する界面が凹凸状に設計される。
【００１３】
本発明の実施例によれば、上記有機流体蓄熱室内に有機流体（例えば、冷媒）が収納される。
【００１４】
本発明の実施例によれば、上記有機流体蓄熱室と蒸気蓄熱室との間に熱電チップが設けられ、上記熱電チップの熱い端が蒸気蓄熱室に接続され、冷たい端が有機流体蓄熱室の中に設置され、冷熱端温差によるゼーベック効果を利用して発電し、また、熱い端が高圧飽和水蒸気作用により、最適稼動温度に維持される。
【００１５】
本発明の実施例によれば、上記有機流体蓄熱室に有機流体蓄熱室入口と有機流体蓄熱室出口があり、それぞれ、有機ランキンサイクル発電装置が接続される。
【００１６】
本発明の実施例によれば、上記蒸気蓄熱室に蒸気蓄熱室入口と蒸気蓄熱室出口があり、それぞれ、蒸気ランキンサイクル発電装置が接続される。
【００１７】
本発明の実施例によれば、上記蒸気ランキンサイクル発電装置は、互いに接続された蒸気膨張タービンや発電機、蒸気熱交換管路、凝縮水循環ポンプ、蒸気調圧弁、第一蒸気制御弁、第二蒸気制御弁、第三蒸気制御弁、第一凝縮水制御弁及び第二凝縮水制御弁が備えられる。
【００１８】
本発明の実施例によれば、上記有機ランキンサイクル発電装置は、互いに接続された有機気体膨張タービンや発電機、熱交換管路、有機液体循環ポンプ、有機蒸気調圧弁、第一有機気体制御弁、第二有機気体制御弁、第三有機気体制御弁、第一有機液体制御弁及び第二有機液体制御弁が備えられる。
【００１９】
本発明の実施例によれば、上記蓄熱水槽は、蓄熱水槽本体と蓄熱水槽本体の底部に設置された蓄熱水槽支持フレームとが備えられる。
【００２０】
以下、図面を参照しながら、本発明の特徴や技術内容について、詳しく説明するが、それらの図面等は参考や説明のためであり、本発明は、それによって制限されることが無い。
【図面の簡単な説明】
【００２１】
【図１】本発明の全体構成概念図である。
【図２】本発明に係る太陽エネルギー発電且つ蓄熱容器本体の縦断面概念図である。
【図３】本発明の図２のＡ−Ａ’断面概念図である。
【図４】本発明の図２のＢ−Ｂ’断面概念図である。
【発明を実施するための形態】
【００２２】
図１と図２、３及び図４は、それぞれ、本発明の全体構成概念図と本発明太陽エネルギー発電且つ蓄熱容器本体の縦断面概念図、本発明の図２のＡ−Ａ’断面概念図及び本発明の図２のＢ−Ｂ’断面概念図である。図のように、本発明は、多機能太陽エネルギーコージェネレーションシステムであり、少なくとも、複数のリング状ディスク式太陽エネルギー集光器２や太陽エネルギー発電且つ蓄熱容器３、蒸気ランキンサイクル発電装置４、有機ランキンサイクル発電装置５及び蓄熱水槽６から構成される。
【００２３】
上記の各リング状ディスク式太陽エネルギー集光器２は、複数の反射鏡からなり、有効的に、太陽光を、太陽エネルギー発電且つ蓄熱容器本体３１の表面に集中させる。
【００２４】
上記太陽エネルギー発電且つ蓄熱容器３は、周りにリング状ディスク式太陽エネルギー集光器２が囲まれるように、リング状ディスク式太陽エネルギー集光器２同士の間に設置され、太陽エネルギー発電且つ蓄熱容器本体３１と、太陽エネルギー発電且つ蓄熱容器本体３１の底部に設置される支持フレーム３２とがあり、上記太陽エネルギー発電且つ蓄熱容器本体３１の表面が上下の二層区間に分けられ、上層区間に太陽エネルギー電池３１４が実装され、下層区間の表面に選択性吸熱フィルム３１５が塗布され、また、上記太陽エネルギー発電且つ蓄熱容器本体３１の内部に有機流体蓄熱室３１１や蒸気蓄熱室３１２及び高エンタルピー蓄熱室３１３があり、同士間の熱伝達面積を増大するため、同士間の界面が凹凸状に設計され、リング状ディスク状太陽集光器２により、太陽光が選択性吸熱フィルム３１５に集中され、選択性吸熱フィルム３１５の内層が、高エンタルピー蓄熱室３１３で、上記選択性吸熱フィルム３１５から、吸収された太陽輻射熱エネルギーが、高エンタルピー蓄熱室３１３内の高エンタルピー蓄熱メディア３１３１へ伝達されて貯蓄され、また、上記太陽エネルギー発電且つ蓄熱容器本体３１の上層区間の表面に実装された太陽エネルギー電池３１４は、光起電効果によって、直接に、太陽光を電気エネルギーに変換し、太陽エネルギー電池３１４の内層が有機流体蓄熱室３１１になり、室内に、例えば、冷媒の有機流体３１１１等が収納されて、有機流体３１１１により太陽エネルギー電池３１４の熱エネルギーが吸収されて沸騰しながら飽和ガス態に変化し、太陽エネルギー電池３１４の最適稼動温度を維特し、太陽エネルギー発電且つ蓄熱容器本体３１において、高エンタルピー蓄熱室３１３と有機流体蓄熱室３１１との間が蒸気蓄熱室３１２になり、それに収納された水が高エンタルピー蓄熱メディア３１３１の熱エネルギーを吸収して、高圧飽和水蒸気３１２１になり、また、上記有機流体蓄熱室３１１と蒸気蓄熱室３１２との間に熱電チップ３１６が設置され、上記熱電チップ３１６の熱い端が蒸気蓄熱室３１２に接続され、冷たい端が有機流体蓄熱室３１１に浸し、冷熱端温差によるゼーベック効果を利用して発電し、また、熱い端が、高圧飽和水蒸気３１２１作用により、最適稼動温度を維持でき、有機流体蓄熱室３１１は有機流体蓄熱室入口３１１２と有機流体蓄熱室出口３１１３とが備えられ、それぞれ、有機ランキンサイクル発電装置５の出口と入口が接続され、また、上記蒸気蓄熱室３１２は蒸気蓄熱室入口３１２２と蒸気蓄熱室出口３１２３とが備えられ、それぞれ、蒸気ランキンサイクル発電装置４の出口と入口が接続される。
【００２５】
上記蒸気ランキンサイクル発電装置４は、互いに接続された蒸気膨張タービン４１１や発電機４１２、蒸気熱交換管路４２、凝縮水循環ポンプ４３、蒸気調圧弁４４１、第一蒸気制御弁４４２、第二蒸気制御弁４４３、第三蒸気制御弁４４４、第一凝縮水制御弁４５１及び第二凝縮水制御弁４５２から構成され、熱エネルギーが十分で、蒸気圧力が足りる場合、蒸気ランキンサイクル発電モードで、第一蒸気制御弁４４２と第三蒸気制御弁４４４及び第二凝縮水制御弁４５２がオフされ、第二蒸気制御弁４４３と第一凝縮水制御弁４５１とがオンされ、高圧飽和水蒸気３１２１が蒸気蓄熱室出口３１２３から出力され、蒸気調圧弁４４１によって圧力が安定化され、蒸気膨張タービン４１１を通して発電機４１２を駆動して発電させ、また、熱交換管路４２により熱が釈放されて水に凝縮すると、凝縮水循環ポンプ４３によって加圧され、蒸気蓄熱室入口３１２２から蒸気蓄熱室３１２へ戻され、また、熱エネルギーが不足で蒸気圧力が不十分である場合、自然循環蓄熱モードで、第一蒸気制御弁４４２と第三蒸気制御弁４４４及び第二凝縮水制御弁４５２がオンされ、第二蒸気制御弁４４３と第一凝縮水制御弁４５１がオフされ、熱水や低圧蒸気が、熱サイホン現象により、熱交換管路４２によって熱を釈放された後、蒸気蓄熱室入口３１２２から蒸気蓄熱室３１２へ戻る。
【００２６】
上記有機ランキンサイクル発電装置５は、互いに接続された有機気体膨張タービン５１１や発電機５１２、熱交換管路５２、有機液体循環ポンプ５３、有機蒸気調圧弁５４１、第一有機気体制御弁５４２、第二有機気体制御弁５４３、第三有機気体制御弁５４４、第一有機液体制御弁５５１及び第二有機液体制御弁５５２から構成され、熱エネルギーが十分で、有機蒸気圧力が足りる場合、有機ランキンサイクル発電モードで、第一有機気体制御弁５４２と第三有機気体制御弁５４４及び第二有機液体制御弁５５２がオフされ、第二有機気体制御弁５４３と第一有機液体制御弁５５１がオンされ、飽和有機蒸気３１１１が有機流体蓄熱室出口３１１３から出力され、有機蒸気調圧弁５４１によって圧力が安定化され、また、有機気体膨張タービン５１１を通して発電機５１２を駆動して発電させ、それから、熱交換管路５２により熱が釈放されて、液態に凝縮された後、有機液体循環ポンプ５３によって加圧されて、有機流体蓄熱室入口（３１１２）から有機流体蓄熱室３１１へ送り戻され、熱エネルギーが不足で有機蒸気の圧力が不十分である場合、自然循環蓄熱モードで、第一有機気体制御弁５４２と第三有機気体制御弁５４４及び第二有機液体制御弁５５２がオンされ、第二有機気体制御弁５４３と第一有機液体制御弁５５１がオフされ、有機液体や低圧有機蒸気が、熱サイホン現象により熱交換管路５２へ流れて、熱が釈放された後、有機流体蓄熱室入口３１１２から有機流体蓄熱室３１１へ戻される。
【００２７】
上記蓄熱水槽６は、蓄熱水槽本体６１と、蓄熱水槽本体６１の底部に設置された蓄熱水槽支持フレーム６２とからなり、上記蓄熱水槽本体６１が実装された位置が、太陽エネルギー発電且つ蓄熱容器本体３１の頂端よりも高くなり、蒸気ランキンサイクル発電装置４と有機ランキンサイクル発電装置５とが稼動される時、凝縮器として使用され、水蒸気や有機蒸気から凝縮過程において、排除された潜熱を吸収と貯蓄して熱水を生成し、また、蒸気ランキンサイクル発電装置４と有機ランキンサイクル発電装置５とが停止された時、循環ポンプを駆動せずに、熱サイホン（Ｔｈｅｒｍｏｓｙｐｈｏｎ）循環を利用して、直接に、太陽エネルギー発電且つ蓄熱容器本体３１の熱エネルギーを蓄熱水槽本体６１へ送って、熱水を生成する。
【００２８】
以上のように、本発明は、少なくとも、下記の特徴や利点が得られる。
１、リング状ディスク式太陽エネルギー集光器２は、太陽１の光源を太陽エネルギー発電且つ蓄熱容器本体３１の表面に集中させて、太陽エネルギー電池３１４が光起電効果（Ｐｈｏｔｏｖｏｌｔａｉｃ  ｅｆｆｅｃｔ）により、直接に、太陽光を電気エネルギーに変換でき、また、有機流体を沸騰させて飽和有機蒸気を生成することにより、安定的に太陽エネルギー電池３１４を最適稼動温度に維特できる。
２、熱電チップ３１６の熱い端が蒸気蓄熱室に接続され、冷たい端が有機流体蓄熱室に浸され、冷熱端温差によるゼーベック効果（Ｓｅｅｂｅｃｋ  ｅｆｆｅｃｔ）により発電でき、また、熱い端が高圧飽和水蒸気作用によく、最適稼動温度に維持される。
３、高エンタルピー蓄熱室３１３の高エンタルピー蓄熱メディア３１３１で太陽熱エネルギーを吸収して、蒸気蓄熱室３１２へ熱伝達させ、水が沸騰されることによる飽和高圧水蒸気が蒸気ランキンサイクル発電装置４へ供給されて、それを稼動させ、また、蓄熱水槽６よって水に凝縮された後、蒸気蓄熱室３１２へ回流してもよいし、有機流体蓄熱室３１１へ送られても良く、熱電チップ３１６に供給されて発電させる外に、沸騰による飽和有機蒸気が有機ランキンサイクル発電装置５に供給されて稼動させる。
４、蓄熱水槽６は、蒸気ランキンサイクル発電装置４と有機ランキンサイクル発電装置５とが稼動する時、凝縮器として使用され、水蒸気や凝縮過程において排除された潜熱を吸収や貯蓄して熱水を生成し、また、蒸気ランキンサイクル発電装置４と有機ランキンサイクル発電装置５が停止されて稼動しない時、循環ポンプを駆動せずに、熱サイホン（Ｔｈｅｒｍｏｓｙｐｈｏｎ）循環により、直接に、高エンタルピー蓄熱室３１３の熱エネルギーを蓄熱水槽本体６１へ伝達して熱水を生成する。
【００２９】
以上のように、本発明に係る多機能太陽エネルギーコージェネレーションシステムは、有効に、従来の諸欠点を解消でき、高圧飽和水蒸気や飽和有機蒸気を生成して、それぞれ、稼動用として、蒸気ランキンサイクル発電装置や有機ランキンサイクル発電装置に供給でき、また、飽和有機蒸気と高圧飽和水蒸気とは、太陽エネルギー電池３１４や熱電チップ３１６を最適稼動温度に維持でき、余分の電力を生成でき、また、蓄熱水槽本体６１は潜熱を吸収凝縮して、熱水を生成する他に、蒸気や有機ランキンサイクル発電装置が停止された時、有機流体や水で熱エネルギーを吸収して、自然循環により熱水を生成し、これにより、太陽エネルギーの使用効率が向上され、また、高効率的に発電や供熱エネルギー力が実現される。
【００３０】
そのため、本発明は、より進歩的かつより実用的で、法に従って特許を出願する。
【００３１】
以上は、ただ、本発明のより良い実施例であり、本発明は、それによって制限されることが無く、本発明に係わる特許請求の範囲や明細書の内容に基づいて行った等価の変更や修正は、全てが、特許請求の範囲内に含まれる。
【符号の説明】
【００３２】
１        太陽
２        リング状ディスク式太陽エネルギー集光器
３        太陽エネルギー発電且つ蓄熱容器
３１      太陽エネルギー発電且つ蓄熱容器本体
３１１    有機流体蓄熱室
３１１１  有機流体或飽和有機蒸気
３１１２  有機流体蓄熱室入口
３１１３  有機流体蓄熱室出口
３１２    蒸気蓄熱室
３１２１  熱水或高圧飽和水蒸気
３１２２  蒸気蓄熱室入口
３１２３  蒸気蓄熱室出口
３１３    高エンタルピー蓄熱室
３１３１  高エンタルピー蓄熱メディア
３１４    太陽エネルギー電池
３１５    選択性吸熱フィルム
３１６    熱電チップ
３２      太陽エネルギー発電且つ蓄熱容器支持フレーム
４        蒸気ランキンサイクル発電装置
４１１    蒸気膨張タービン
４１２    発電機
４２      熱交換管路
４３      凝縮水循環ポンプ
４４１    蒸気調圧弁
４４２    第一蒸気制御弁
４４３    第二蒸気制御弁
４４４    第三蒸気制御弁
４５１    第一凝縮水制御弁
４５２    第二凝縮水制御弁
５        有機ランキンサイクル発電装置
５１１    有機気体膨張タービン
５１２    発電機
５２      熱交換管路
５３      有機液体循環ポンプ
５４１    有機蒸気調圧弁
５４２    第一有機気体制御弁
５４３    第二有機気体制御弁
５４４    第三有機気体制御弁
５５１    第一有機液体制御弁
５５２    第二有機液体制御弁
６        蓄熱水槽
６１      蓄熱水槽本体
６２      蓄熱水支持フレーム
【図１】
0005541603.tif 000002
【図２】
0005541603.tif 000003
【図３】
0005541603.tif 000004
【図４】
0005541603.tif 000005